(57)【要約】【課題】横倒し姿勢で緩衝材に載置された製品を直立姿勢へ回転させる際におけるユーザーの負担を軽減することができる緩衝材を提供する。【解決手段】横倒し姿勢では、一側面となり、直立姿勢では、上面となる第１面３０５を有する製品３０１が、横倒し姿勢で載置される下部緩衝材１０１であって、横倒し姿勢の製品３０１が直立姿勢へ回転する際に、横倒し姿勢では製品３０１の下面となる第２面３０７と接し、製品３０１の回転中心となる第１支点１１７を備え、第１支点１１７は、第１面３０５とは反対側の第３面３０９と、第２面３０７と、が交わる第２角部３１７から第１面３０５側に寄った位置において、第２面３０７と接する。【選択図】図１
2020059527.tif 000002
【特許請求の範囲】
【請求項１】
横倒し姿勢では、一側面となり、直立姿勢では、上面となる第１面を有する製品が、横倒し姿勢で載置される緩衝材であって、
横倒し姿勢の前記製品が直立姿勢へ回転する際に、横倒し姿勢では前記製品の下面となる第２面と接し、前記製品の回転中心となる第１支点、を備え、
前記第１支点は、前記第１面とは反対側の第３面と、前記第２面と、が交わる角部から前記第１面側に寄った位置において、前記第２面と接することを特徴とする緩衝材。
【請求項２】
前記第１支点を回転中心として回転した前記製品の前記第３面と接し、前記製品の回転中心となる第２支点、を備え、
前記第２支点は、前記角部から前記第２面とは反対側の第４面側に寄った位置において、前記第３面と接することを特徴とする請求項１に記載の緩衝材。
【請求項３】
直立姿勢となった前記製品の前記第３面と接する直立支持部、を備えたことを特徴とする請求項１または２に記載の緩衝材。
【請求項４】
直立姿勢となる手前の斜め姿勢となった前記製品の前記第３面と接する斜め支持部、を備えたことを特徴とする請求項１または２に記載の緩衝材。
【請求項５】
横倒し姿勢では、一側面となり、直立姿勢では、上面となる第１面を有する製品が横倒し姿勢で収容される梱包箱と、
前記製品が載置される下部緩衝材と、を含み、
前記下部緩衝材は、横倒し姿勢の前記製品が直立姿勢へ回転する際に、横倒し姿勢では前記製品の下面となる第２面と接し、前記製品の回転中心となる第１支点、を備え、
前記第１支点は、前記第１面とは反対側の第３面と、前記第２面と、が交わる角部から前記第１面側に寄った位置において、前記第２面と接することを特徴とする梱包セット。
【請求項６】
前記下部緩衝材との間に横倒し姿勢の前記製品を挟むようにして前記梱包箱内に設けられる上部緩衝材、を含むことを特徴とする請求項５に記載の梱包セット。
【請求項７】
前記下部緩衝材は、前記梱包箱の側壁部と横倒し姿勢の前記製品の前記第１面との間に設けられ、前記製品を前記梱包箱内で位置決めする位置決め部、を備え、
前記上部緩衝材は、前記第１面と前記位置決め部との間に差し込まれる差込み部、を備えたことを特徴とする請求項６に記載の梱包セット。
【請求項８】
前記第１支点は、前記製品の重心に対して前記第１面側に寄った位置において、前記第２面と接することを特徴とする請求項６または７に記載の梱包セット。
【請求項９】
前記梱包箱は、横倒し姿勢の前記製品の前記第３面に対向する側壁部が、開放可能に構成されていることを特徴とする請求項５ないし８のいずれか一項に記載の梱包セット。
【発明の詳細な説明】
【技術分野】
【０００１】
本発明は、製品が横倒し姿勢で載置される緩衝材、および梱包セットに関するものである。
【背景技術】
【０００２】
従来、特許文献１が開示するように、製品を回転させながら取り出せるように製品を収納する緩衝体が知られている。
【先行技術文献】
【特許文献】
【０００３】
【特許文献１】実開昭６３−０８６０７３号公報
【発明の概要】
【発明が解決しようとする課題】
【０００４】
横倒し姿勢で緩衝材に載置された製品を直立姿勢へ回転させる際に、製品の重量により、製品がユーザーの手から滑り落ちたり、ユーザーが腰を痛めたりするおそれがある。
【０００５】
本発明は、横倒し姿勢で緩衝材に載置された製品を直立姿勢へ回転させる際におけるユーザーの負担を軽減することができる緩衝材および梱包セットを提供することを課題としている。
【課題を解決するための手段】
【０００６】
本発明の緩衝材は、横倒し姿勢では、一側面となり、直立姿勢では、上面となる第１面を有する製品が、横倒し姿勢で載置される緩衝材であって、横倒し姿勢の製品が直立姿勢へ回転する際に、横倒し姿勢では製品の下面となる第２面と接し、製品の回転中心となる第１支点、を備え、第１支点は、第１面とは反対側の第３面と、第２面と、が交わる角部から第１面側に寄った位置において、第２面と接する。
【０００７】
本発明の梱包セットは、横倒し姿勢では、一側面となり、直立姿勢では、上面となる第１面を有する製品が横倒し姿勢で収容される梱包箱と、製品が載置される下部緩衝材と、を含み、下部緩衝材は、横倒し姿勢の製品が直立姿勢へ回転する際に、横倒し姿勢では製品の下面となる第２面と接し、製品の回転中心となる第１支点、を備え、第１支点は、第１面とは反対側の第３面と、第２面と、が交わる角部から第１面側に寄った位置において、第２面と接する。
【図面の簡単な説明】
【０００８】
【図１】梱包セットの断面図である。
【図２】梱包箱の斜視図である。
【図３】上部梱包材が取り出された状態を示す図である。
【図４】製品の直立姿勢への回転開始時の状態を示す図である。
【図５】図４の状態から製品が第１支点を回転中心として回転し、第２支点に当接した状態を示す図である。
【図６】図５の状態から直立姿勢となるまで製品が第２支点を回転中心として回転した状態を示す図である。
【図７】第１変形例の梱包セットにおいて、製品が第１支点を回転中心として回転し、第２支点に当接した状態を示す図である。
【図８】第１変形例の梱包セットにおいて、図７の状態から直立姿勢となるまで製品が第２支点を回転中心として回転した状態を示す図である。
【図９】第２変形例の梱包セットにおいて、製品が第１支点を回転中心として回転し、直立姿勢となる手前の斜め姿勢となった状態を示す図である。
【図１０】第２変形例の梱包セットにおいて、図９の状態から製品が直立姿勢となるまで梱包箱ごと回転した状態を示す図である。
【図１１】第３変形例の梱包箱の斜視図である。
【図１２】第３変形例の梱包箱の展開図である。
【図１３】第３変形例の梱包セットにおいて、梱包箱の左壁部が開放されると共に、直立姿勢となるまで製品が第２支点を回転中心として回転した状態を示す図である。
【図１４】第４変形例の梱包セットの断面図である。
【図１５】第４変形例の梱包セットにおいて、上部梱包材が取り出され、製品が自重により回転した状態を示す図である。
【発明を実施するための形態】
【０００９】
以下、添付の図面を参照して、梱包セットの一実施形態である梱包セットＳについて説明する。なお、以下の説明では、各部の配置関係を明確にするために、「前」、「後」、「左」および「右」の語句を用いるが、それらが本発明を何ら限定するものではないことは、言うまでもない。
【００１０】
図１に基づいて、梱包セットＳおよび梱包セットＳに梱包される製品３０１について説明する。梱包セットＳは、梱包箱１と、下部緩衝材１０１と、上部緩衝材２０１とを備えている。下部緩衝材１０１は、第１下部緩衝材１０３と第２下部緩衝材１０５とを備え、上部緩衝材２０１は、第１上部緩衝材２０３と第２上部緩衝材２０５とを備えている。梱包箱１には、製品３０１が横倒し姿勢で収容される。製品３０１としては、例えば、スピーカーなどを用いることができる。製品３０１の重量は、特に限定されないが、ユーザーがかなりの力を入れないと持ち上げることができない程度の重量（例えば２０ｋｇ程度）を有する製品３０１の場合に、本発明が特に有用である。なお、製品３０１の重心３０３は、例えば製品３０１の略中心に位置している。
【００１１】
製品３０１は、例えば略直方体状に形成されており、第１面３０５と、第２面３０７と、第３面３０９と、第４面３１１と、第５面と、第６面とを備えている（第５面および第６面は図示省略）。
【００１２】
第１面３０５は、図１に示すように、横倒し姿勢では製品３０１の右側面となり、図６に示すように、直立姿勢では製品３０１の上面となる面である。第１面３０５の略中央部には、取っ手３１３が設けられている。取っ手３１３は、横倒し姿勢の製品３０１を引き起こす、すなわち直立姿勢へ回転させる際などにユーザーによって保持される。なお、製品３０１は、ユーザーが製品３０１の第１面３０５側を保持可能であれば、取っ手３１３を備えていない構成でもよい。
【００１３】
第２面３０７は、横倒し姿勢では製品３０１の下面となり、直立姿勢では製品３０１の右側面となる面である。第３面３０９は、横倒し姿勢では製品３０１の左側面となり、直立姿勢では製品３０１の下面となる面である。第４面３１１は、横倒し姿勢では製品３０１の上面となり、直立姿勢では製品３０１の左側面となる面である。
【００１４】
第５面は、横倒し姿勢および直立姿勢のいずれにおいても、製品３０１の前面となる面である。第６面は、横倒し姿勢および直立姿勢のいずれにおいても、製品３０１の後面となる面である。
【００１５】
なお、製品３０１の第１面３０５と第２面３０７とが交わる角部を、第１角部３１５といい、第２面３０７と第３面３０９とが交わる角部を、第２角部３１７といい、第３面３０９と第４面３１１とが交わる角部を、第３角部３１９といい、第４面３１１と第１面３０５とが交わる角部を、第４角部３２１という。
【００１６】
図２に示すように、梱包箱１は、Ａ式段ボールを横長の略直方体状に組み立てたものである。梱包箱１は、上壁部３と、下壁部５と、左壁部７と、右壁部９と、前壁部１１と、後壁部１３とを備えている。上壁部３は、２つの上外フラップ１５および上内フラップ１７から構成されている。同様に、下壁部５は、２つの下外フラップ１９および下内フラップ２１から構成されている。ユーザーは、梱包箱１から製品３０１を取り出す際に、上外フラップ１５および上内フラップ１７を開くことで、梱包箱１の上壁部３を開放させることができる。なお、梱包箱１は、Ａ式段ボールに限定されず、他の形式の段ボールでもよい。梱包箱１の形状は、略直方体状に限定されず、例えば、直方体以外の角柱状、円柱状などでもよい。また、梱包箱１の材質は、段ボールに限定されず、例えば、樹脂製でもよい。
【００１７】
図１に戻り、下部緩衝材１０１には、梱包箱１に横倒し姿勢で収容される製品３０１が載置される。下部緩衝材１０１は、梱包箱１に収容された製品３０１に対する衝撃を吸収する。下部緩衝材１０１は、上述したように、第１下部緩衝材１０３と、第２下部緩衝材１０５とを備えている。第１下部緩衝材１０３および第２下部緩衝材１０５の材質としては、例えば、発泡スチロール、段ボールなどを用いることができる。また、第１下部緩衝材１０３と第２下部緩衝材１０５とは、一体化された構成でもよい。
【００１８】
第１下部緩衝材１０３は、断面略「Ｌ」字状に形成されており、第１載置部１０７と、第１下突出部１０９とを備えている。第１載置部１０７には、横倒し姿勢の製品３０１の右端部が載置される。第１下突出部１０９は、第１載置部１０７の右側に連なっており、第１載置部１０７よりも上方に突出している。第１下突出部１０９は、横倒し姿勢の製品３０１の第１面３０５と梱包箱１の右壁部９との間に介在している。ユーザーは、梱包箱１内にセットされた第１下部緩衝材１０３および第２下部緩衝材１０５上に製品３０１を載置する際に、製品３０１の第１角部３１５を第１下突出部１０９に突き当てることで、製品３０１を梱包箱１内で位置決めすることができる。すなわち、第１下突出部１０９は、製品３０１を梱包箱１内で位置決めする位置決め部として機能する。第１下突出部１０９の左側面、すなわち横倒し姿勢の製品３０１の第１面３０５に対向する面は、上側ほど第１面３０５から離れるように傾斜している。これにより、後述する第１上部緩衝材２０３の差込み部２１１が、第１下突出部１０９と第１面３０５との間に差込み可能となっている。
【００１９】
第２下部緩衝材１０５は、断面略長方形状に形成されており、第２載置部１１１と、直立支持部１１３と、凹部１１５とを備えている。第２載置部１１１には、横倒し姿勢の製品３０１の左端部が載置される。直立支持部１１３は、第２載置部１１１の左側に連なっており、第２載置部１１１と略同じ高さに形成されている。直立支持部１１３は、後述するように、直立姿勢となった製品３０１の第３面３０９と接する。
【００２０】
凹部１１５は、第２下部緩衝材１０５の上面において、第２載置部１１１と直立支持部１１３との間に位置して、前後に延びる断面略「Ｖ」字の溝状に形成されている。詳細は後述するが、凹部１１５の開口縁部のうち、第２載置部１１１側の開口縁部は、横倒し姿勢の製品３０１が直立姿勢へ回転する際に、製品３０１の第２面３０７と接し、製品３０１の回転中心となる第１支点１１７として機能する。また、凹部１１５の開口縁部のうち、直立支持部１１３側の開口縁部は、第１支点１１７を回転中心として回転した製品３０１の第３面３０９と接し、製品３０１の回転中心となる第２支点１１９として機能する。
【００２１】
上部緩衝材２０１は、下部緩衝材１０１との間に横倒し姿勢の製品３０１を挟むようにして梱包箱１内に設けられ、製品３０１に対する衝撃を吸収する。上部緩衝材２０１は、上述したように、第１上部緩衝材２０３と、第２上部緩衝材２０５とを備えている。第１上部緩衝材２０３および第２上部緩衝材２０５の材質としては、第１下部緩衝材１０３および第２下部緩衝材１０５と同様に、例えば、発泡スチロール、段ボールなどを用いることができる。また、第１上部緩衝材２０３と第２上部緩衝材２０５とは、第１下部緩衝材１０３および第２下部緩衝材１０５と同様に、一体化された構成でもよい。
【００２２】
第１上部緩衝材２０３は、断面略「Ｌ」字状に形成されており、第１カバー部２０７と、第１上突出部２０９と、差込み部２１１とを備えている。第１カバー部２０７は、横倒し姿勢の製品３０１の右端部上に載置される。第１上突出部２０９は、第１カバー部２０７の右側に連なっており、第１カバー部２０７よりも下方に突出している。第１上突出部２０９は、横倒し姿勢の製品３０１の第１面３０５と梱包箱１の右壁部９との間に介在している。差込み部２１１は、第１上突出部２０９の下端部から下方に突出している。差込み部２１１は、下端部が尖った断面略楔形状に形成されており、横倒し姿勢の製品３０１の第１面３０５と第１下突出部１０９との間に差し込まれる。
【００２３】
第２上部緩衝材２０５は、断面略「Ｌ」字状に形成されており、第２カバー部２１３と、第２上突出部２１５とを備えている。第２カバー部２１３は、横倒し姿勢の製品３０１の左端部上に載置される。第２上突出部２１５は、第２カバー部２１３の左側に連なっており、第２カバー部２１３よりも下方に突出している。第２上突出部２１５は、横倒し姿勢の製品３０１の第３面３０９と梱包箱１の左壁部７との間に介在している。
【００２４】
第１下部緩衝材１０３、第２下部緩衝材１０５、第１上部緩衝材２０３および第２上部緩衝材２０５が梱包箱１内にセットされた状態では、第１下突出部１０９と第１上突出部２０９とが接し、直立支持部１１３と第２上突出部２１５とが接している。これにより、梱包箱１の積圧に対する強度、すなわち梱包箱１の上方からの荷重に対する強度を向上させることができる。
【００２５】
図３ないし図６を参照して、ユーザーが梱包箱１から製品３０１を取り出す手順について説明する。まず、ユーザーは、図３に示すように、梱包箱１の上壁部３を開放させた後、梱包箱１から第１上部緩衝材２０３および第２上部緩衝材２０５を取り出す。このとき、第１上部緩衝材２０３の差込み部２１１が、製品３０１の第１面３０５と第１下突出部１０９との間から引き抜かれることで、製品３０１の第１面３０５と第１下突出部１０９との間に空間が生じる。これにより、ユーザーは、製品３０１の第１面３０５に設けられた取っ手３１３を、容易に保持することができる。
【００２６】
続いて、ユーザーは、図４に示すように、横倒し状態の製品３０１の取っ手３１３を保持して、製品３０１の直立姿勢への回転操作を開始する。このとき、第２下部緩衝材１０５に設けられた第１支点１１７が、製品３０１の回転中心となる。ここで、第１支点１１７は、製品３０１の第２角部３１７から第１面３０５側に寄った位置において、第２面３０７と接している。このため、左右方向において、製品３０１の重心３０３から第１支点１１７までの寸法をＬ1、製品３０１の重心３０３から第２角部３１７までの寸法をＬ2、力点となる取っ手３１３から第１支点１１７までの寸法をＬ3、取っ手３１３から第２角部３１７までの寸法をＬ4とすると、（Ｌ1／Ｌ3）が（Ｌ2／Ｌ4）よりも小さくなる。これにより、ユーザーは、第２下部緩衝材１０５に凹部１１５が無く第２角部３１７を回転中心として製品３０１を回転させる場合に比べ、少ない力で製品３０１を回転させることができる。
【００２７】
続いて、ユーザーは、図５に示すように、製品３０１の第３面３０９が第２下部緩衝材１０５に設けられた第２支点１１９と当接するまで、第１支点１１７を回転中心として製品３０１を回転させる。このとき、製品３０１の第２角部３１７が、第２下部緩衝材１０５に設けられた凹部１１５に受け入れられる。
【００２８】
続いて、ユーザーは、第２支点１１９を回転中心として製品３０１を回転させ、図６に示すように、直立姿勢となるまで製品３０１を回転させる。ここで、第２支点１１９は、製品３０１の第２角部３１７から第４面３１１側に寄った位置において、第３面３０９と接している。このため、第２支点１１９から第３角部３１９までの寸法が、第２角部３１７から第３角部３１９までの寸法よりも短くなる。これにより、ユーザーが第２角部３１７を回転中心として製品３０１を回転させた場合に比べて右側に寄った位置で、製品３０１を直立姿勢にすることができる。したがって、横倒し姿勢の製品３０１の第３面３０９と梱包箱１の左壁部７との間の空間、すなわち製品３０１を回転させるために必要な空間を小さくすることができるため、梱包箱１の左右方向における寸法を短くすることができる。なお、図６では、ユーザーが第２角部３１７を回転中心として製品３０１を回転させた場合に直立姿勢となった製品３０１の位置を、２点鎖線で示す。
【００２９】
なお、製品３０１の回転中心が第１支点１１７から第２支点１１９に移行する際に、製品３０１を回転させるのに必要な操作力の変化量がなるべく小さく（例えば、±１０％以内に）なるように、第１支点１１７および第２支点１１９の位置を設定することが好ましい。これにより、ユーザーは、製品３０１を回転させる操作をスムーズに行うことができる。
【００３０】
また、直立姿勢となった製品３０１の第３面３０９は、第２下部緩衝材１０５に設けられた直立支持部１１３の上面と接する。これにより、直立姿勢となった製品３０１が直立支持部１１３によって支持されるため、直立姿勢の製品３０１がぐらつくことが抑制される。
【００３１】
続いて、ユーザーは、直立支持部１１３の上面から梱包箱１の上端部までの高さＨを超えるように、取っ手３１３を保持して製品３０１を持ち上げ、梱包箱１から製品３０１を取り出す。
【００３２】
以上のように、本実施形態の梱包セットＳは、梱包箱１と、下部緩衝材１０１とを備えている。梱包箱１には、製品３０１が横倒し姿勢で収容される。下部緩衝材１０１には、製品３０１が載置される。下部緩衝材１０１は、第１支点１１７を備えている。第１支点１１７は、横倒し姿勢の製品３０１が直立姿勢へ回転する際に、製品３０１の第２面３０７と接し、製品３０１の回転中心となる。第１支点１１７は、製品３０１の第２角部３１７から第１面３０５側に寄った位置において、第２面３０７と接する。
【００３３】
この構成によれば、ユーザーは、第２角部３１７を回転中心として製品３０１を回転させる場合に比べ、少ない力で製品３０１を回転させることができる。したがって、横倒し姿勢で下部緩衝材１０１に載置された製品３０１を直立姿勢へ回転させる際におけるユーザーの負担を軽減することができる。
【００３４】
また、下部緩衝材１０１は、第２支点１１９を備えている。第２支点１１９は、第１支点１１７を回転中心として回転した製品３０１の第３面３０９と接し、製品３０１の回転中心となる。第２支点１１９は、第２角部３１７から第４面３１１側に寄った位置において、第３面３０９と接する。
【００３５】
この構成によれば、製品３０１を回転させるために必要な空間を小さくすることができるため、梱包箱１の寸法を短くすることができる。
【００３６】
また、下部緩衝材１０１は、直立支持部１１３を備えている。直立支持部１１３は、直立姿勢となった製品３０１の第３面３０９と接する。
【００３７】
この構成によれば、直立姿勢となった製品３０１が直立支持部１１３によって支持されるため、直立姿勢の製品３０１がぐらつくことが抑制される。したがって、直立姿勢となった製品３０１を、ユーザーが容易に引き上げることができる。
【００３８】
また、梱包セットＳは、上部緩衝材２０１を備えている。上部緩衝材２０１は、下部緩衝材１０１との間に横倒し姿勢の製品３０１を挟むようにして梱包箱１内に設けられる。
【００３９】
この構成によれば、製品３０１に対する衝撃をより効果的に吸収することができる。
【００４０】
また、下部緩衝材１０１は、第１下突出部１０９を備えている。第１下突出部１０９は、梱包箱１の右壁部９と横倒し姿勢の製品３０１の第１面３０５との間に設けられ、製品３０１を梱包箱１内で位置決めする。上部緩衝材２０１は、差込み部２１１を備えている。差込み部２１１は、第１面３０５と第１下突出部１０９との間に差し込まれる。
【００４１】
この構成によれば、上部緩衝材２０１が梱包箱１内にセットされている状態では、差込み部２１１が第１面３０５と第１下突出部１０９との間に差し込まれることで、梱包箱１内で製品３０１ががたつくことを抑制することができる。また、上部緩衝材２０１が梱包箱１から取り出された状態では、第１面３０５と第１下突出部１０９との間に空間が生じる。これにより、ユーザーは、第１面３０５側を容易に保持することができる。
【００４２】
図７および図８に基づいて、梱包セットＳの第１変形例について説明する。第１変形例の梱包セットＳは、第２下部緩衝材１０５の直立支持部１１３が、第２載置部１１１よりも上方に突出している点で、実施形態と相違する。この構成では、第２支点１１９は、製品３０１の第２角部３１７から、実施形態よりもさらに第４面３１１側に寄った位置において、第３面３０９と接する。これにより、実施形態よりもさらに右側に寄った位置で、製品３０１を直立姿勢にすることができる。したがって、梱包箱１の左右方向における寸法をさらに短くすることができる。また、直立支持部１１３の上面から梱包箱１の上端部までの高さＨを、より低くすることができるため、ユーザーが直立姿勢となった製品３０１を容易に持ち上げて梱包箱１から取り出すことができる。なお、図８では、実施形態の第２下部緩衝材１０５の第２支点１１９を回転中心としてユーザーが製品３０１を回転させた場合に直立姿勢となった製品３０１の位置を、２点鎖線で示す。
【００４３】
なお、直立支持部１１３の突出高さを高くするほど、梱包箱１のサイズを小さくすることができるが、同時に、第２支点１１９が左右方向において製品３０１の重心３０３から離れることになるため、第２支点１１９を中心として製品３０１を回転させるのに必要な力が大きくなる。このため、梱包箱１のサイズと製品３０１を回転させるのに必要な力とのバランスを考慮して、直立支持部１１３の突出高さを設定することが好ましい。
【００４４】
図９および図１０に基づいて、梱包セットＳの第２変形例について説明する。第２変形例の梱包セットＳは、第２下部緩衝材１０５が、直立支持部１１３に代えて、斜め支持部１２１を備えている点で、実施形態と相違する。斜め支持部１２１は、図９に示すように、直立姿勢となる手前の斜め姿勢となった製品３０１の第３面３０９と接する。
【００４５】
ユーザーは、製品３０１の第３面３０９が斜め支持部１２１と接するまで製品３０１を回転させた後、図１０に示すように、製品３０１の第３面３０９が斜め支持部１２１と接した状態を維持したまま、製品３０１が直立姿勢となるように、製品３０１と共に梱包箱１を回転させる。これにより、斜め支持部１２１の上面から梱包箱１の上端部までの高さＨが、実施形態における直立支持部１１３の上面から梱包箱１の上端部までの高さＨ（図６参照）よりも低くなるため、ユーザーが直立姿勢となった製品３０１を容易に持ち上げて梱包箱１から取り出すことができる。また、製品３０１の第３面３０９が斜め支持部１２１と接した後は、製品３０１を梱包箱１に対して回転させない構成であるため、梱包箱１のサイズを小さくすることができる。
【００４６】
図１１ないし図１３に基づいて、梱包セットＳの第３変形例について説明する。第３変形例の梱包セットＳは、梱包箱１の左壁部７が開放可能である点で、実施形態と相違する。梱包箱１の左壁部７は、左外フラップ２３と、左内フラップ２５とで構成されている。左外フラップ２３は、前壁部１１に連なり、左内フラップ２５は、後壁部１３に連なっている。２つの上内フラップ１７のうち、左内フラップ２５に連なる上内フラップ１７の一の角部は、斜状に切り欠かれている。同様に、２つの下内フラップ２１のうち、左内フラップ２５に連なる下内フラップ２１の一の角部は、斜状に切り欠かれている。これにより、左内フラップ２５がスムーズに開閉可能となっている。ユーザーは、梱包箱１の左外フラップ２３および左内フラップ２５を開くことで、梱包箱１の左壁部７を開放させることができる。
【００４７】
ユーザーは、図１３に示すように、直立姿勢となった製品３０１を、開放された左壁部７から水平方向に取り出すことができる。これにより、ユーザーは、製品３０１を梱包箱１から取り出す際に、製品３０１を直立姿勢へ回転させた後、製品３０１を持ち上げる必要がなく、ユーザーの負担を軽減することができる。
【００４８】
図１４および図１５に基づいて、梱包セットＳの第４変形例について説明する。第４変形例の梱包セットＳは、第２下部緩衝材１０５の第１支点１１７が、製品３０１の重心３０３に対して第１面３０５側に寄った位置において、第２面３０７と接する点で、実施形態と相違する。この構成では、図１４に示した状態から、第１上部緩衝材２０３および第２上部緩衝材２０５が梱包箱１から取り出されると、図１５に示すように、第２角部３１７が凹部１１５の底面に接するまで、製品３０１が自重により回転する。このため、ユーザーは、斜め姿勢になった状態から製品３０１を引き起こせばよく、ユーザーの負担を軽減することができる。
【符号の説明】
【００４９】
１…梱包箱、３…上壁部、５…下壁部、７…左壁部、９…右壁部、１０１…下部緩衝材、１０３…第１下部緩衝材、１０５…第２下部緩衝材、１０７…第１載置部、１０９…第１下突出部、１１１…第２載置部、１１３…直立支持部、１１５…凹部、１１７…第１支点、１１９…第２支点、２０１…上部緩衝材、２０３…第１上部緩衝材、２０５…第２上部緩衝材、２０７…第１カバー部、２０９…第１上突出部、２１１…差込み部、２１３…第２カバー部、２１５…第２上突出部、３０１…製品、３０３…重心、３０５…第１面、３０７…第２面、３０９…第３面、３１１…第４面、３１３…取っ手、３１５…第１角部、３１７…第２角部、３１９…第３角部、３２１…第４角部、Ｓ…梱包セット。
【図１】
2020059527.tif 000003
【図２】
2020059527.tif 000004
【図３】
2020059527.tif 000005
【図４】
2020059527.tif 000006
【図５】
2020059527.tif 000007
【図６】
2020059527.tif 000008
【図７】
2020059527.tif 000009
【図８】
2020059527.tif 000010
【図９】
2020059527.tif 000011
【図１０】
2020059527.tif 000012
【図１１】
2020059527.tif 000013
【図１２】
2020059527.tif 000014
【図１３】
2020059527.tif 000015
【図１４】
2020059527.tif 000016
【図１５】
2020059527.tif 000017